(57)【要約】【課題】  長手方向における発光量のバラツキが少ないライン光を射出することのできる、ＥＬ層を用いたライン光源を提供する。【解決手段】  パネル状光源部２０は、厚さ０．１μｍ、大きさ４３０ｍｍ×４３０ｍｍのＩＴＯ膜からなる平板状の光透過性電極２１、ＥＬ層２２、４３００本の線状電極２３がＺ方向へ平行に並んで設けられている線状電極層２４とから構成される。各線状電極２３は、幅５０μｍ、長さ４３０ｍｍ、厚さ３μｍのアルミ電極である。アルミの抵抗率は２．７×１０-6Ω・ｃｍであり、線状電極２３の端部２６ａと端部２６ｂ間の抵抗値は８０Ω、ＩＴＯの抵抗率は４×１０-4Ω・ｃｍであり、光透過性電極２１の端部２５ａと２５ｂ間の抵抗値は４０Ωである。端部２６ｂには負の駆動電圧、端部２５ａには正の電圧が印加される。従来のライン光源に比べ、両電極間における電圧降下の差が少ない。【選択図】          図１
2005183236.tif 000002
【特許請求の範囲】
【請求項１】
線状電極と、該線状電極と相対する対峙電極と、前記線状電極と前記対峙電極との間に配設されたＥＬ層とを有し、前記線状電極または前記対峙電極のいずれか一方が光透過性を有するものであり、前記線状電極の長手方向の一端に駆動電圧を印加して、前記線状電極と前記対峙電極との間に前記ＥＬ層を通して電流を流すことによりライン光を射出するライン光源であって、
前記線状電極の前記駆動電圧が印加されていない端部と対向する前記対峙電極の部位に前記駆動電圧と異なる電圧が印加され、
前記線状電極の長手方向の両端部間の抵抗値の、前記線状電極の長手方向の両端部と対向する前記対峙電極の両部位間の抵抗値に対する比率が、０．５以上２以下であることを特徴とするライン光源。
【請求項２】
前記比率が０．９以上１．１以下であることを特徴とする請求項１記載のライン光源。
【請求項３】
前記比率が１であることを特徴とする請求項２記載のライン光源。
【請求項４】
前記線状電極が、シート抵抗値がｒａであるシート状の薄膜から形成され、幅がｗａ、長さがＬであるとき、前記線状電極の抵抗値が、（ｒａ・Ｌ）／ｗａで表され、
前記対峙電極が、シート抵抗値がｒcであるシート状の薄膜からなる四角形状に形成され、幅がｗｃ、長さがＬであるとき、前記対峙電極の抵抗値が、（ｒｃ・Ｌ）／ｗｃで表されることを特徴とする請求項１から３いずれか１項記載のライン光源。
【請求項５】
画像情報が予め記録された画像記録媒体と、
該画像記録媒体に対して、読取光を射出する複数本のライン光源が並んで配設される露光ヘッドと、
該画像記録媒体から前記画像情報を読み取る際に、前記ライン光源から異なるタイミングで前記読取光を射出させる走査露光制御部とを有する画像情報読取装置であって、
前記ライン光源が、線状電極と、該線状電極と相対する対峙電極と、前記線状電極と前記対峙電極との間に配設されたＥＬ層とを有し、前記線状電極または前記対峙電極のいずれか一方が光透過性を有するものであり、前記線状電極の長手方向の一端に駆動電圧を印加して、前記線状電極と前記対峙電極との間に前記ＥＬ層を通して電流を流すことによりライン光を射出するライン光源であり、
前記線状電極の前記駆動電圧が印加されていない端部と対向する前記対峙電極の部位に前記駆動電圧と異なる電圧が印加され、
前記線状電極の長手方向の両端部間の抵抗値の、前記線状電極の長手方向の両端部と対向する前記対峙電極の両部位間の抵抗値に対する比率が、０．５以上２以下であることを特徴とする画像情報読取装置。
【請求項６】
前記画像記録媒体が、画像情報を静電潜像として記録し、前記読取光で走査露光されることにより、前記静電潜像に応じた電流を発生する静電記録体であることを特徴とする請求項５記載の画像情報読取装置。
【請求項７】
前記画像記録媒体が、画像情報を蓄積記録し、前記読取光で走査露光されることにより、前記画像情報に応じた輝尽発光光を発生する蓄積性蛍光体であることを特徴とする請求項５記載の画像情報読取装置。
【発明の詳細な説明】
【技術分野】
【０００１】
本発明は、画像情報が記録された画像記録媒体に対して記録された画像情報を読み取るための読取光を照射する場合等に用いられるライン光源に関するものであり、特にＥＬ層を用いたライン光源および該ライン光源を用いた画像情報読取装置に関するものである。
【背景技術】
【０００２】
従来より、医療用Ｘ線撮影において、被験者が受ける被爆線量の減少、診断性能の向上等のために、Ｘ線に感応する例えばａ−Ｓｅから成るセレン板等の光導電体を静電記録体として用い、静電記録体に放射線画像情報を担持するＸ線等の放射線を照射して、放射線画像情報を担持する潜像電荷を静電記録体に蓄積せしめ、ライン光源から射出されるライン光で静電記録体を走査することにより静電記録体内に生じる電流をストライプ電極を介して検出して、潜像電荷が担持する静電潜像、すなわち放射線画像情報を読み取る画像情報記録読取システムが知られている（例えば特許文献１参照）。
【０００３】
また、照射された放射線エネルギーの一部を蓄積し、その後、読取光（励起光）を照射すると蓄積された放射線エネルギーに応じて輝尽発光を示す蓄積性蛍光体を記録媒体として用いた画像情報記録読取システムも知られている。ライン光源から射出されるライン光で蓄積性蛍光体を走査することにより蓄積性蛍光体から発せられる輝尽発光を検出して、蓄積性蛍光体が担持する画像情報が読み取られる。輝尽発光を検出する検出部としては、フォトダイオードやＣＣＤあるいは輝尽発光の照射を受けることにより導電性を有する光導電層を有するパネル状あるいはライン状の検出器を用いることができる（例えば特許文献２参照）。
【０００４】
また、読取速度を高速化するために、略等間隔かつ平行に配置された多数のライン光源から成るパネル状光源を有し、該パネル状光源から異なるタイミングでライン光を順次射出させることによりライン光による走査露光を行う走査露光装置が提案されている（例えば特許文献３参照）。この装置では、光透過性の線状電極と、平板状の電極と、線状電極と平板状の電極の間に設けられたＥＬ層とから成るライン光源を用い、光透過性の線状電極へ順次電流を流すことにより、ライン光を順次射出させている。光透過性の線状電極としては、ＩＴＯ（Indium Tin Oxide）が使用されている。
【特許文献１】特開２０００−１０５２９７号公報
【特許文献２】特開２０００−３３８２９７号公報
【特許文献３】特開２０００−１６２７２６号公報
【発明の開示】
【発明が解決しようとする課題】
【０００５】
上記のような走査露光装置において、通常、画像記録媒体から画像情報を読み出す際の解像度は、線状電極の間隔に反比例するため、線状電極の線幅は狭いことが望ましい。近年では、線状電極の線幅が数十μｍの走査露光装置の開発が待たれている。一方、光の透過性を向上させるためには、光透過性線状電極の厚さは薄いことが望ましく、１μｍ以下の厚さが好ましく、０．５μｍ以下の薄さがより好ましい。しかし、光透過性線状電極を形成可能な材料の抵抗率は比較的大きい場合が多く、例えば上記走査露光装置の光透過性の線状電極を形成するＩＴＯの抵抗率は４×１０-4Ω・ｃｍ程度である。
【０００６】
例えば画像記録媒体の大きさが４３０ｍｍ×４３０ｍｍで、光透過性線状電極が、線幅５０μｍ、厚さ１μｍ、長さ４３０mmであれば、その長手方向の抵抗値は次のように求めることができる。
【０００７】
まず、厚さ１μｍのＩＴＯのシート抵抗は、
４×１０-4Ω・cm／１×１０-4cm＝４Ω／ｓｑ
となる。したがって、線状電極の長手方向の抵抗値は（シート抵抗×長さ）／線幅で算出でき、
（４Ω／ｓｑ×４３０ｍｍ）／（５０×１０-3ｍｍ）≒３４ＫΩ
となる。この線状電極に例えば２mAの電流を流せば、線状電極の両端では、６８Ｖの電位差が生じ、駆動源が接続されていない方の端部では電圧降下によりＥＬ層における発光量が著しく低下してしまうという問題がある。
【０００８】
また、光透過性を向上させるために、例えばＩＴＯの厚さを０．４μｍまで薄くした場合には、ＩＴＯからなる線状電極の抵抗値は約８６ＫΩとなってしまう。図１６は、背向電極として厚さ０．１μｍのアルミ（抵抗率：２．７×１０-6Ω・cm）の平板電極（４３０ｍｍ×４３０ｍｍ）を用い、線状電極の一方の端部へ６５Ｖの電圧を印加した場合における給電されている電極端部からの距離ｘとＥＬ層にかかる電圧Ｖ（ｘ）の関係の一例を示す図である。この図１６からわかるように、電極端部から１００ｍｍほど離れた部位で、電圧は２０％程度に低下してしまう。また、図１７は、電極端部からの距離ｘとＥＬ層に流れる電流Ｄ（ｘ）の関係を示す図であり、この図から電極端部から１００ｍｍ離れた部位では、電流がほとんど流れていないことがわかる。このため、電極端部から１００ｍｍ以上離れた部位ではＥＬ層が発光しない。すなわち、上記のような構成の走査露光装置においては、通常の駆動電圧を印加した場合に、駆動源が接続されていない方の電極端部ではＥＬ層を発光させることは困難である。
【０００９】
本発明者は、上記のようなＥＬ層を用いたライン光源の厚さが非常に薄く、数μｍ以下である点に着目し、必ずしも光透過性電極を線状電極として用いる必要はなく、通常背面電極として使用される金属電極を線状電極として用いることが可能であることを発見した。そして、従来とは反対に、光透過性電極を平板状の光透過性電極として用い、金属電極を線状電極として用いたライン光源を用いた走査露光装置を考案した。例えば、金属電極として用いられることの多いアルミの抵抗率は２．７×１０-6Ω・ｃｍであるため、アルミ製の線状電極が、線幅５０μｍ、厚さ０．１μｍ、長さ４３０ｍｍであっても、その抵抗値は２．３ＫΩである。このため、従来の走査露光装置に用いられているライン光源に比べ、ライン光源の長手方向における発光量のばらつきが減少する。
【００１０】
しかしながら、このような金属電極を線状電極として用いたライン光源であっても、例えば２ｍＡの電流を流せば、４．６Ｖの電圧降下が生じてしまい、低電圧により駆動する際などには、光透過性電極と背面電極間のライン光源の長手方向の各位置における電位差の差が、長手方向で大きくなり、発光量のばらつきが生じるという問題がある。
【００１１】
本発明は、上記のような問題点に鑑みて、低電圧で駆動した場合であっても、長手方向における発光量のバラツキが少ないライン光を射出することのできるＥＬ層を用いたライン光源を提供することを目的とするものである。また、該ライン光源を用いた画像情報読取装置を提供することを目的とするものである。
【課題を解決するための手段】
【００１２】
本発明によるライン光源は、線状電極と、該線状電極と相対する対峙電極と、前記線状電極と前記対峙電極との間に配設されたＥＬ層とを有し、前記線状電極または前記対峙電極のいずれか一方が光透過性を有するものであり、前記線状電極の長手方向の一端に駆動電圧を印加して、前記線状電極と前記対峙電極との間に前記ＥＬ層を通して電流を流すことによりライン光を射出するライン光源であって、
前記線状電極の前記駆動電圧が印加されていない端部と対向する前記対峙電極の部位に前記駆動電圧と異なる電圧が印加され、
前記線状電極の長手方向の両端部間の抵抗値の、前記線状電極の長手方向の両端部と対向する前記対峙電極の両部位間の抵抗値に対する比率が、０．５以上２以下であることを特徴とするものである。なお、「前記駆動電圧と異なる電圧が印加される」とは、０電位が印加される場合、すなわち接地されている場合も含むものである。
【００１３】
前記比率は０．９以上１．１以下であってもよい。また、前記比率は１であってもよい。
【００１４】
前記線状電極は、シート抵抗値がｒａであるシート状の薄膜から形成され、幅がｗａ、長さがＬであるとき、前記線状電極の抵抗値は、（ｒａ・Ｌ）／ｗａで表され、前記対峙電極は、シート抵抗値がｒcであるシート状の薄膜からなる四角形状に形成され、幅がｗｃ、長さがＬであるとき、前記対峙電極の抵抗値は、（ｒｃ・Ｌ）／ｗｃで表されるものであってもよい。
【００１５】
本発明による画像情報読取装置は、画像情報が予め記録された画像記録媒体と、
該画像記録媒体に対して、読取光を射出する複数本のライン光源が並んで配設される露光ヘッドと、
該画像記録媒体から前記画像情報を読み取る際に、前記ライン光源から異なるタイミングで前記読取光を射出させる走査露光制御部とを有する画像情報読取装置であって、
前記ライン光源が、線状電極と、該線状電極と相対する対峙電極と、前記線状電極と前記対峙電極との間に配設されたＥＬ層とを有し、前記線状電極または前記対峙電極のいずれか一方が光透過性を有するものであり、前記線状電極の長手方向の一端に駆動電圧を印加して、前記線状電極と前記対峙電極との間に前記ＥＬ層を通して電流を流すことによりライン光を射出するライン光源であり、
前記線状電極の前記駆動電圧が印加されていない端部と対向する前記対峙電極の部位に前記駆動電圧と異なる電圧が印加され、
前記線状電極の長手方向の両端部間の抵抗値の、前記線状電極の長手方向の両端部と対向する前記対峙電極の両部位間の抵抗値に対する比率が、０．５以上２以下であることを特徴とするものである。なお、前記線状電極または前記対峙電極の両電極が光透過性を有するものであってもよく、その場合にはどちらの電極側が画像記録媒体に相対してもよいが、いずれか一方の電極のみが光透過性を有する場合には、光透過性を有する電極側が、画像記録媒体に相対するものとする。
【００１６】
前記画像記録媒体は、画像情報を静電潜像として記録し、前記読取光で走査露光されることにより、前記静電潜像に応じた電流を発生する静電記録体であってもよいし、また画像情報を蓄積記録し、前記読取光で走査露光されることにより、前記画像情報に応じた輝尽発光光を発生する蓄積性蛍光体であってもよい。
【発明の効果】
【００１７】
本発明のライン光源は、線状電極の駆動電圧が印加されていない端部と対向する対峙電極の部位に駆動電圧と異なる電圧が印加されているため、線状電極に生じる電圧降下と対峙電極に生じる電圧降下は相殺される。また線状電極の長手方向の両端部間の抵抗値の、線状電極の長手方向の両端部と対向する対峙電極の両部位間の抵抗値に対する比率を、０．５以上２以下とすることにより、線状電極に生じる電圧降下の、対峙電極に生じる電圧降下に対する比率も、０．５以上２以下とすることができ、線状電極における電圧降下と対峙電極における電圧降下の、長手方向の各位置における差を低減させ、ライン光の長手方向における、線状電極と対峙電極間の電位差の差を小さくできるため、低電圧により駆動しても、長手方向における発光量のバラツキが少ないライン光を射出することができる。
【００１８】
上記比率が０．９以上１．１以下であれば、線状電極における電圧降下と対峙電極における電圧降下が略等しくなり、ライン光の長手方向における、線状電極と対峙電極間の長手方向の各位置における電位差も略等しくなるため、低電圧により駆動しても、長手方向における発光量のバラツキが一層少ないライン光を射出することができる。
【００１９】
上記比率が１であれば、線状電極における電圧降下と対峙電極における電圧降下がほぼ等しくなり、ライン光の長手方向における、線状電極と対峙電極間の長手方向の各位置における電位差もほぼ等しくなるため、低電圧により駆動しても、長手方向における発光量がほぼ一定であるライン光を射出することができる。
【００２０】
前記線状電極が、シート抵抗値がｒａであるシート状の薄膜から形成され、幅がｗａ、長さがＬであるとき、前記線状電極の抵抗値が、（ｒａ・Ｌ）／ｗａで表され、前記対峙電極が、シート抵抗値がｒcであるシート状の薄膜からなる四角形状に形成され、幅がｗｃ、長さがＬであるとき、前記対峙電極の抵抗値が、（ｒｃ・Ｌ）／ｗｃで表される場合には、容易に両電極の抵抗値を比較することができる。
【００２１】
本発明の画像情報読取装置は、ライン光源が、線状電極と、該線状電極と相対する対峙電極と、前記線状電極と前記対峙電極との間に配設されたＥＬ層とを有し、前記線状電極または前記対峙電極のいずれか一方が光透過性を有するものであり、前記線状電極の長手方向の一端に駆動電圧を印加して、前記線状電極と前記対峙電極との間に前記ＥＬ層を通して電流を流すことによりライン光を射出するライン光源であり、前記線状電極の前記駆動電圧が印加されていない端部と対向する前記対峙電極の部位に前記駆動電圧と異なる電圧が印加され、前記線状電極の長手方向の両端部間の抵抗値の、前記線状電極の長手方向の両端部と対向する前記対峙電極の両部位間の抵抗値に対する比率が、０．５以上２以下であるので、ライン光の長手方向における、線状電極と対峙電極間の電位差の差を小さくできるため、低電圧により駆動しても、長手方向における発光量のバラツキが少ないライン光を射出することができ、精度よく画像情報を読み出すことができる。
【発明を実施するための最良の形態】
【００２２】
以下、図面を参照して本発明の実施の形態について説明する。図１は本発明のライン光源を適用した第１の実施の形態である画像情報記録読取システムの概略構成図である。
【００２３】
図１に示すように、この画像情報記録読取システム１は、４３０ｍｍ×４３０ｍｍの静電潜像を記録可能な画像記録媒体１０と、該画像記録媒体１０を読取光Ｌ１により走査露光するパネル状光源部２０と、該パネル状光源部２０の動作を制御する走査露光制御部４０と、画像記録媒体１０の画像情報を読み出す読出部５０と、記録光である放射線Ｌ２を照射する放射線照射部５５と、走査露光制御部４０、読出部５０および放射線照射部５５と接続されたシステム制御部５９とを有している。
【００２４】
画像記録媒体１０は、画像情報を担持する被写体を透過した放射線Ｌ２（例えば、Ｘ線等）が第１電極層（導電体層）１１に照射されることにより記録用光導電層１２内に電荷が発生し、この発生した電荷を記録用光導電層１２と電荷輸送層１３との界面である蓄電部１９に潜像電荷として蓄積し、読取光Ｌ１で第２電極層（導電体層）１５が走査されることにより読取用光導電層１４内に電荷が発生し前記潜像電荷と電荷再結合して潜像電荷の量に応じた電流を発生するものである。なお、第２電極層１５の外側には読取光Ｌ１を透過する透明な絶縁層１７が設けられている。
【００２５】
第２電極層１５は、多数の線状電極（図中の斜線部）がストライプ状に配列されて成るものである。以下第２電極層１５の電極をストライプ電極１６といい、各線状電極をエレメント１６ａという。記録用光導電層１２、電荷輸送層１３、および読取用光導電層１４には、アモルファス状の物質としてのａ−Ｓｅを主成分とするものを使用する。なお、図１に示すように、記録用光導電層１２、電荷輸送層１３、読取用光導電層１４、第２電極層１５および、絶縁層１７の積層方向をＸ方向、ストライプ電極１６の長手方向をＹ方向、ＸＹ平面と直交する方向をＺ方向とする。
【００２６】
図２は、パネル状光源部２０のＸＹ平面における部分断面図であり、パネル状光源部２０は、厚さ０．１μｍ、大きさ４３０ｍｍ（Ｚ方向）×４３０ｍｍ（Ｙ方向）のＩＴＯ膜からなる平板状の光透過性電極２１、大きさ４３０ｍｍ（Ｚ方向）×４３０ｍｍ（Ｙ方向）で、厚さ０．１μｍのＥＬ層２２、４３００本の線状電極２３がＺ方向へ平行に並んで設けられている線状電極層２４とを有している。各線状電極２３は、幅５０μｍ、厚さ３μｍのアルミ電極である。図２に示すように、平板状の光透過性電極２１は、画像記録媒体１０に相対するように、絶縁層１７に接して設けられ、光透過性電極２１、ＥＬ層２２および線状電極層２４はＸ方向へ順次積層されている。ＥＬ層２２は有機ＥＬ層であるが、無機ＥＬ層を用いてもよい。光透過性電極２１のＺ方向の端部２５ａおよび２５ｂのうち端部２５ａには正の所定電圧が印加される。また各線状電極２３のＺ方向の端部２６ａおよび２６ｂのうち、光透過性電極２１の端部２５ａとは逆側となる端部２６ｂは、それぞれ走査露光制御部４０へ接続されている。なお、各線状電極２３、ＥＬ層２２および光透過性電極２１は、本発明のライン光源として機能するものである。
【００２７】
また、アルミの抵抗率は２．７×１０-6Ω・ｃｍであり、各線状電極２３の厚さは３μｍであるため、そのシート抵抗値は０．００９Ω／ｓｑである。また線状電極の線幅は５０μｍ、長さは４３０ｍｍであるため、端部２６ａと端部２６ｂ間の抵抗値は、（０．００９・４３０）／０．０５＝７７．４Ωとなる。一方、ＩＴＯの抵抗率は４×１０-4Ω・ｃｍであり、厚さが０．１μｍであるため、そのシート抵抗値は４０Ω／ｓｑとなり、光透過性電極２１のＺ方向における端部２５ａと２５ｂとの間の抵抗値は４０Ωである。
【００２８】
走査露光制御部４０は、読取走査を指示する制御信号Ａ１が入力されると、各線状電極２３を順次切り換えながら、各線状電極２３の端部２６ｂへ負の駆動電圧を印加して、各線状電極２３と光透過性電極２１との間にＥＬ層２２を通して電流を流し、パネル状光源部２０から異なるタイミングで読取光Ｌ１を順次射出させるものである。
【００２９】
読出部５０は、ストライプ電極１６の各エレメント１６ａ毎に、反転入力端子に接続された電流検出アンプ５１を多数有している。画像記録媒体１０の第１電極層１１はスイッチ５２の一方の入力および電源５３の負極に接続されており、電源５３の正極はスイッチ５２の他方の入力に接続されている。スイッチ５２の出力は各電流検出アンプ５１を構成する不図示のオペアンプの非反転入力端子に共通に接続されている。
【００３０】
読取走査時には、読取光Ｌ１がストライプ電極１６側に照射（走査露光）されることにより、各電流検出アンプ５１は、各エレメント１６ａに流れる電流を、接続された各エレメント１６ａについて同時（並列的）に検出する。検出結果は、信号処理部５４に出力される。信号処理部５４は、走査露光制御部４０から読取光Ｌ１による露光部位情報を順次入力し、電流検出アンプ５１から入力された検出結果と露光部位情報を組み合わせて記憶し、読取走査終了後に、検出結果および、露光部位情報に基づいて、画像１枚分の画像情報を作成する。
【００３１】
なお、電流検出アンプ５１の構成の詳細については、本発明の要旨に関係がないのでここでは詳細な説明を省略するが、周知の構成を種々適用することが可能である。電流検出アンプ５１の構成によっては、スイッチ５２および電源５３並びに各エレメント１６ａとの接続態様が上記とは異なるものとなるのは勿論である。なお、本実施の形態においては、スイッチ５２は、画像記録を指示する制御信号Ｂ１が入力されると、電源５３側に切り換えられ、読取を指示する制御信号Ｂ２が入力されると、第１電極層１１側に切り換えられる。
【００３２】
放射線照射部５５は、放射線Ｌ２を発する放射線源５６と放射線源５６を駆動する電力を発生する高電圧発生器５７とからなる。
【００３３】
高電圧発生器５７は、放射線照射を指示する制御信号Ｃ１が入力されたときには高圧ＨＶを放射線源５６に供給し、放射線源５６から放射線Ｌ２を所定時間発生させる。
【００３４】
なお、システム制御部５９からは、走査露光制御部４０に向けて走査露光を指示する制御信号Ａ１が、スイッチ５２に向けて画像情報の記録を指示する制御信号Ｂ１または画像情報の読取を指示する制御信号Ｂ２が、高電圧発生器５７に向けて放射線Ｌ２の照射を指示する制御信号Ｃ１が夫々出力される。
【００３５】
以下、上記構成の画像情報記録読取システム１の作用について説明する。静電潜像を画像記録媒体１０に記録するに際しては、第１電極層１１の電極とストライプ電極１６との間に記録用電圧を印加した状態で第１電極層１１に記録用の放射線Ｌ２を照射して、画像記録媒体１０に静電潜像の記録を行なう。具体的には、先ず画像記録媒体１０内の記録用光導電層１２で発生した電荷を蓄電部１９に蓄積させることができるように、システム制御部５９はスイッチ５２に制御信号Ｂ１を出力する。スイッチ５２は、制御信号Ｂ１が入力されると、電源５３側に切り換えられ、画像記録媒体１０の第１電極層１１の電極とストライプ電極１６との間に電源５３から記録用電圧としての所定の大きさの直流電圧が印加される。このため第１電極層１１の電極とストライプ電極１６とは帯電する。
【００３６】
この記録用電圧の印加の後、システム制御部５９は高電圧発生器５７に、制御信号Ｃ１を入力し、高電圧発生器５７から高圧ＨＶを放射線源５６に供給させ、放射線源５６から放射線Ｌ２を照射させる。この放射線Ｌ２を被写体５８に爆射し、被写体５８を透過した被写体５８の放射線画像情報を担持する放射線Ｌ２を設定された照射時間だけ画像記録媒体１０に照射する。すると、画像記録媒体１０の記録用光導電層１２内で正負の電荷対が発生し、その内の負電荷が所定の電界分布に沿ってストライプ電極１６の各エレメント１６ａに集中せしめられ、記録用光導電層１２と電荷輸送層１３との界面である蓄電部１９に潜像電荷として蓄積される。潜像電荷の量は照射放射線量に略比例するので、この潜像電荷が静電潜像を担持することとなる。一方、記録用光導電層１２内で発生する正電荷は第１電極層１１に引き寄せられて、電源５３から注入された負電荷と電荷再結合し消滅する。
【００３７】
次に、画像記録媒体１０から静電潜像を読み取る際には、システム制御部５９はスイッチ５２に制御信号Ｂ２を出力し、第１電極層１１の電極とストライプ電極１６とを同電位にする。次に、制御信号Ａ１を走査露光制御部４０に出力する。走査露光制御部４０は、図１における上端に配置された線状電極２３に負の所定電圧を印加する。線状電極２３と光透過性電極２１との間に電流が流れ、両電極の間のＥＬ層２２がライン状に発光し、ＥＬ層２２から射出されたライン光は光透過性電極２１を透過して読取光Ｌ１として、画像記録媒体１０に照射される。その後、同様に順次下隣の線状電極２３へ所定電圧を印加して、読取光Ｌ１を順次射出させる。最後に下端の線状電極２３へ所定電圧を印加して読取光Ｌ１を射出させて、画像記録媒体１０の走査露光を終了する。
【００３８】
この読取光Ｌ１による走査により走査位置に対応するライン光が入射した光導電層１４内に正負の電荷対が発生し、その内の正電荷が蓄電部１６に蓄積された負電荷（潜像電荷）に引きつけられるように電荷輸送層１３内を急速に移動し、蓄電部１６で潜像電荷と電荷再結合し消滅する。一方、光導電層１４に生じた負電荷は電源５３からストライプ電極１６に注入される正電荷と電荷再結合し消滅する。このようにして、画像記録媒体１０の蓄電部１９に蓄積されていた負電荷が電荷再結合により消滅し、この電荷再結合の際の電荷の移動による電流が画像記録媒体１０内に生じる。この電流を各エレメント１６ａ毎に接続された各電流検出アンプ５１が同時に検出し、信号処理部５４に出力する。
【００３９】
読取りの際に画像記録媒体１０内を流れる電流は、潜像電荷すなわち静電潜像に応じたものであるから、この電流を検出することにより静電潜像を読み取る、すなわち静電潜像を表す画像信号を取得することができる。なお、各電流検出アンプ５１による検出は読取光Ｌ１の照射位置の切り換えタイミング、すなわち線状光源２３の切り換えタイミングと同期させて行い、４３００ラインの画像信号を取得する。
【００４０】
信号処理部５４は、走査露光終了後に、検出結果（画像信号）に基づいて、画像１枚分の画像情報を作成する。
【００４１】
以上の説明で明らかなように、本実施の形態においては、ＩＴＯからなる平板状の光透過性電極２１と、アルミからなる線状電極２３と、光透過性電極２１と線状電極２３の間に配設けられたＥＬ層２２とからなるパネル状光源部２０を有し、光透過性電極２１の端部２５ａと２５ｂ間の抵抗値は４０Ωであり、線状電極２３の端部２６ａと２６ｂ間の抵抗値は７７．４Ωである。このため、線状電極２３の端部２６ｂに負の駆動電圧が印加され、光透過性電極２１の逆側の端部２５ａに正の電圧が印加されている場合、線状電極２３の長手方向の両端部間に生じる電圧降下の、線状電極２３の長手方向の両端部と対向する光透過性電極２１の両部位間に生じる電圧降下に対する比率は略０．５となり、線状電極２３における電圧降下と光透過性電極２１における電圧降下の差が減少し、読取光Ｌ１の長手方向の各位置における、線状電極２３と光透過性電極２１の電位差の差が小さくなり、低電圧により駆動しても、長手方向における発光量のバラツキが少ない読取光Ｌ１を射出することができる。
【００４２】
なお、本実施の形態の変形例として、幅５０μｍ、厚さ５．８μｍのアルミ電極である線状電極３１がＺ方向へ平行に４３００本並んで設けられている線状電極層３２を有しているパネル状光源３０を用いたものが考えられる。各線状電極３１のＺ方向における両端部間の抵抗値は４０Ωであり、光透過性電極２１の端部２５ａと２５ｂ間の抵抗値と等しくなる。光透過性電極２１の抵抗値と線状電極３１の抵抗値とが等しいため、光透過性電極２１における電圧降下と線状電極３１における電圧降下が等しくなり、読取光Ｌ１の長手方向の各位置における、光透過性電極２１と線状電極３１間の電位差はほぼ等しく、低電圧により駆動しても、長手方向における発光量のバラツキがほとんどない読取光Ｌ１を射出することができる。
【００４３】
次に、図３〜図５を参照して本発明の第２の実施形態について説明する。図３は本発明の第２の実施の形態である画像情報記録読取システムの概略構成図であり、図１中の要素と同等の要素には同番号を付してあり、それらについての説明は特に必要の無い限り省略する。
【００４４】
図３に示すように、この画像情報記録読取システム２は、４３０ｍｍ（Ｚ方向）×４３０ｍｍ（Ｙ方向）の静電潜像を記録可能な画像記録媒体１０と、該画像記録媒体１０を読取光Ｌ１により走査露光するパネル状光源部６０と、該パネル状光源６０の動作を制御する走査露光制御部４０と、画像記録媒体１０の画像情報を読み出す読出部５０と、記録光である放射線Ｌ２を照射する放射線照射部５５と、走査露光制御部４０、読出部５０および放射線照射部５５と接続されたシステム制御部５９とを有している。
【００４５】
図４は、パネル状光源部６０のＸＹ平面における部分断面図であり、パネル状光源部２０は、厚さ０．４μｍ、大きさ４３０mm（Ｚ方向）×１．８５mm（Ｙ方向）のＩＴＯ膜からなる平板状の光透過性電極６１がＹ方向に１．９mm間隔で２２７枚並んでいる光透過性電極層６２、厚さ０．１μｍの大きさ４３０mm×４３０mmのＥＬ層２２、４３００本の線状電極６５がＺ方向へ略等間隔かつ平行に並んで設けられている線状電極層６６とを有している。各線状電極６５は、幅５０μｍ、厚さ０．１μｍのアルミ電極である。図５は、光透過性電極６１と線状電極６５との関係を示す模式図であり、Ｘ方向から見た図である。図５に示すように、１枚の光透過性電極６１に対して、１８本の線状電極６５が相対している。
【００４６】
図４に示すように、各光透過性電極６１は、画像記録媒体１０に相対するように、絶縁層１７に接して設けられ、光透過性電極層６２、ＥＬ層２２および線状電極層６６はＸ方向へ順次積層されている。各光透過性電極６１のＺ方向の端部６３ａおよび６３ｂのうち端部６３ａは接地されている。また各線状電極６５のＺ方向の端部６７ａおよび６７ｂのうち、光透過性電極６１の端部６３ａとは逆側となる端部６７ｂは、それぞれ走査露光制御部４０へ接続されている。
【００４７】
なお、アルミの抵抗率は２．７×１０-6Ω・cmであり、各線状電極６５の端部２６ａと端部２６ｂ間の抵抗値は約２．３ＫΩとなる。このため例えば２mAの電流が流れた場合の両端部間の電圧降下は４．６Ｖである。
【００４８】
一方、ＩＴＯの抵抗率は４×１０-4Ω・cmであり、各光透過性電極６１のＺ方向における端部６３ａと６３ｂとの間の抵抗値は２．３ｋΩである。このため、２mAの電流が光透過性電極６１のＺ方向における端部６３ａと６３ｂとの間に流れた場合の電圧降下も４．６Ｖとなる。各光透過性電極６１は、線状電極６５の駆動側とは反対側の端部６７ａで接地されているため、これらの電圧降下は相殺され、光透過性電極６１と線状電極６５との間の電位差は、線状電極６５の長手方向全長に渡って、略等しいものとなる。このため長手方向における発光量のバラツキが一層少ない読取光Ｌ１を射出することができる。
【００４９】
図６は、線状電極６５の一方の端部へ６５Ｖの電圧を印加した場合における電力が供給される電極端部（以後給電端と記載）からの距離とＥＬ層にかかる電圧の関係の一例を示す図である。本実施の形態では、ＥＬ層としてspiro-NPB,spiro-DPVBi,Cs doped BCPからなるブルー発光層が用いられ、ＥＬ層の単位長さあたりの抵抗値Ｒｄ（Ｖ）は次式で表すことができる。なお、Ｒｄ（Ｖ）は、電圧Ｖに依存して、非線形に変化するものである。
【数１】
2005183236.tif 000003
【００５０】
また、線状電極６５の単位長さあたりの抵抗値をＲａ、光透過性電極６１の単位長さあたりの抵抗値をＲｃ、給電端からの距離をｘとし、距離ｘに位置するＥＬ層にかかる電圧をＶ（ｘ）とすると、下記の微分方程式が成立する。
【数２】
2005183236.tif 000004
【００５１】
この微分方程式をMathcadのrkfixed関数を用いて解くことにより、図６に示すような図を得ることができる。
【００５２】
この図６からわかるように、電極の全長に渡って、電圧はほとんど低下していない。また、図７は、給電端からの距離ｘとＥＬ層に流れる電流Ｄ（ｘ）の関係を示す図であり、この図から電極の全長に渡ってほぼ一定の大きさの電流が流れていることがわかる。このため、ＥＬ層の発光量もほぼ一定となる。
【００５３】
なお、ここで、線状電極６５が、幅（ｗａ）５０μｍ、厚さ０．１μｍのアルミ電極であり、１００μｍ間隔（ピッチＰ＝０．１ｍｍ）で配置され、光透過性電極が厚さ０．４μｍのＩＴＯ膜から形成されている場合に、光透過性電極の幅ｗｃを求める方法について簡単に説明しておく。この場合線状電極６５のシート抵抗値ｒａは０．２７Ω／ｓｑであり、光透過性電極のシート抵抗値ｒｃは１０Ω/ｓｑである。
【００５４】
さらに、論理的に理想的な光透過性電極の線幅ｗｃはｗｃ＝（ｒｃ・ｗａ）／ｒａであるが、線状電極と対峙する部位には光透過性電極間の隙間（光透過性電極の存在しない部分、幅ｗｉ）が配置されないように、光透過性電極の幅ｗｃを設定することが望ましい。光透過性電極の隙間が線状電極と対峙してしまった場合には、その線状電極から正確に画像情報を読み出すことが困難になってしまう。このような不都合を避けるために、以下の手法により光透過性電極の幅を決定する。
【００５５】
例えば、光透過性電極間の隙間の幅ｗｉが５０μｍ必要な場合の幅ｗｃの算出方法を説明する。まず、ｎ＜（ｒｃ／ｗａ）／（ｒａ・Ｐ）＝（１０・０．０５）／（０．２７・０．１）を満たす最大製数を求める。本実施の形態では１８であり、幅ｗｃがｗｃ≧ｎ・Ｐ−ｗｉ＝１８・０．１−０．０５＝１．７５ｍｍを満たすものであれば、光透過性電極における電圧降下も抑制でき、発光特性が向上したライン光を射出することができる。
【００５６】
さらに、幅ｗｃが１．７５ｍｍ≦ｗｃ＜（ｎ＋１）・Ｐ＋ｗａ＝（１８＋１）・０．１＋０．０５＝１．９５を満たすものであれば、線状電極における電圧降下と、光透過性電極における電圧降下が部分的に相殺され、発光量のバラツキが減少したライン光を射出することができる。
【００５７】
さらに、もっとも適切な線幅ｗｃ’は以下のように場合分けして求めることができる。
【００５８】
（ｒｃ・ｗａ）／ｒａ＝Ａとした時に、
Ａ＜ｎ・Ｐ＋（ｗａ−ｗｉ）／２の場合には
ｗｃ’＝ｎ・Ｐ−ｗｉ
ｎ・Ｐ＋（ｗａ−ｗｉ）／２≦Ａ＜ｎ・Ｐ＋ｗａの場合には
ｗｃ’＝ｎ・Ｐ＋ｗａ
ｎ・Ｐ＋ｗａ≦Ａ＜（ｎ＋１）・Ｐ−ｗｉの場合には
ｗｃ’＝Ａ＝（ｒｃ・ｗａ）／ｒａ
（ｎ＋１）・Ｐ−ｗｉ≦Ａ＜（ｎ＋１）・Ｐ＋（ｗａ−ｗｉ）／２の場合には
ｗｃ’＝（ｎ＋１）・Ｐ−ｗｉ
Ａ≧（ｎ＋１）・Ｐ＋（ｗａ−ｗｉ）／２の場合には
ｗｃ’＝（ｎ＋１）・Ｐ＋ｗａ
となる。
【００５９】
本実施の形態においては、光透過性電極間の隙間の幅が５０μｍ必要であるため、
（ｎ＋１）・Ｐ−ｗｉ＝１．８５
Ａ＝１．８５２
（ｎ＋１）・Ｐ＋（ｗａ−ｗｉ）／２＝１．９となり
適切な幅ｗｃ’＝（ｎ＋１）・Ｐ−ｗｉ＝１．８５となる。
【００６０】
なお、例えば光透過性電極間の隙間の幅が３０μｍでよい場合には、
ｎ・Ｐ＋ｗａ＝１．８５
（ｎ＋１）・Ｐ−ｗｉ＝１．８７
となるため、幅ｗｃ’＝Ａ＝１．８５２となる。
【００６１】
各光透過性電極６１は、線状電極６５の駆動側とは反対側の端部６３ａで正電圧が印加されているため、線状電極６５における電圧降下と光透過性電極６１における電圧降下とは相殺され、光透過性電極６１と線状電極６５との間の電位差は、線状電極６５の長手方向全長に渡って、略等しいものとなる。このため長手方向の各位置における発光量のバラツキが少ない読取光Ｌ１を射出することができる。
【００６２】
また、光透過性電極を分割して形成するのみで、容易に線状電極６５と光透過性電極６１の抵抗値を揃えることができる。また、線状電極６５の厚さを０．１μｍまで低減でき、光透過性電極６１、ＥＬ層２２および線状電極６５の全ての厚さを加えても略１μｍであり、非常に薄いパネル状光源６０を実現できる。
【００６３】
なお、画像情報記録読取システム２の動作は図１に示す画像情報記録読取システム１と同様であるため、説明を省略する。
【００６４】
なお、本実施の形態の変形例として、光透過性電極の抵抗値が線状電極の抵抗値の略２倍となるように、幅ｗｃを０．９５ｍｍとした場合が考えられる。図８は、給電端からの距離ｘとＥＬ層に流れる電流Ｄ（ｘ）の関係を示す図である。この図から、電極の全長に渡ってＥＬ層が発光していることがわかる。給電端と反対側の端部では発光量がかなり低減しているため、読み出された画像信号の信号値を図８のデータを用いて補正することが好ましい。
【００６５】
また、他の変形例として、光透過性電極の抵抗値が線状電極の抵抗値の略０．５倍となるように、幅ｗｃを３．６５ｍｍとした場合も考えられる。図９は、給電端からの距離ｘとＥＬ層に流れる電流Ｄ（ｘ）の関係を示す図である。この図から、電極の全長に渡ってＥＬ層が発光していることがわかる。給電端と反対側の端部では発光量がかなり低減しているため、読み出された画像信号の信号値を図９のデータを用いて補正することが好ましい。
【００６６】
以上の２つの変形例から、線状電極の抵抗値の、光透過性電極の抵抗値に対する比率を、０．５以上２以下とすることにより、線状電極における電圧降下と光透過性電極における電圧降下が部分的に相殺され、長手方向の各位置における電位差を低減させ、ライン光の長手方向における、線状電極と光透過性電極の電位差の差を小さくできるため、低電圧により駆動しても、長手方向の全域において発光可能なライン光源を作成することができる。なお、ライン光源の長さが短い場合であれば、発光量のバラツキが少ないライン光を射出することができる。
【００６７】
また、さらに他の変形例として、光透過性電極の抵抗値が線状電極の抵抗値の略１．１倍となるように、幅ｗｃを１．６９ｍｍとした場合が考えられる。図１０は、給電端からの距離ｘとＥＬ層に流れる電流Ｄ（ｘ）の関係を示す図である。この図から、電極の全長に渡ってＥＬ層が発光し、給電端と反対側の端部でも、給電端の約半分の発光量が得られることがわかる。読み出された画像信号の信号値を図１０のデータを用いて補正することが好ましい。給電端と反対側の端部でも、給電端の約半分の発光量が得られているため、容易に補正可能である。
【００６８】
また、他の変形例として、光透過性電極の抵抗値が線状電極の抵抗値の略０．９倍となるように、幅ｗｃを２．０５ｍｍとした場合も考えられる。図１１は、給電端からの距離ｘとＥＬ層に流れる電流Ｄ（ｘ）の関係を示す図である。この図から、電極の全長に渡ってＥＬ層が発光し、給電端と反対側の端部でも、給電端の約半分の発光量が得られることがわかる。読み出された画像信号の信号値を図１１のデータを用いて補正することが好ましい。給電端と反対側の端部でも、給電端の約半分の発光量が得られているため、容易に補正可能である。
【００６９】
以上の２つの変形例から、線状電極の抵抗値の、光透過性電極の抵抗値に対する比率を、０．９以上１．１以下とすることにより、線状電極における電圧降下と光透過性電極における電圧降下の、長手方向の各位置における差を低減させ、ライン光の長手方向における、線状電極と光透過性電極の電位差の差を小さくできるため、低電圧により駆動しても、長手方向の全域において発光量のバラツキの少ないライン光源を作成することができる。なお、ライン光源の長さが短い場合であれば、発光量のバラツキがより少ないライン光を射出することができる。
【００７０】
次に、図１２および図１３を参照して本発明の第３の実施形態について説明する。図１２は本発明の第３の実施の形態である画像情報記録読取システムの概略構成図であり、図１中の要素と同等の要素には同番号を付してあり、それらについての説明は特に必要の無い限り省略する。
【００７１】
図１２に示すように、この画像情報記録読取システム３は、画像記録媒体１０と、該画像記録媒体１０を読取光Ｌ１により走査露光するパネル状光源部７０と、該パネル状光源７０の動作を制御する走査露光制御部４１および４２と、画像記録媒体１０の画像情報を読み出す読出部５０と、記録光である放射線Ｌ２を照射する放射線照射部５５と、走査露光制御部４１および４２、読出部５０および放射線照射部５５と接続されたシステム制御部５９とを有している。
【００７２】
パネル状光源部７０は、厚さ０．１μｍ、大きさ４３０ｍｍ（Ｚ方向）×７．３５ｍｍ（Ｙ方向）のＩＴＯ膜からなる平板状の光透過性電極７１がＹ方向に７．４ｍｍ間隔で６０枚並んでいる光透過性電極層７２と、ＥＬ層２２と、Ｚ方向へ平行に並んで設けられている４３００本の長さ２１９０ｍｍの線状電極７３とＺ方向へ平行に並んで設けられている４３００本の長さ２１９０ｍｍの線状電極７４とからなる線状電極層７５とを有している。線状電極７３と線状電極７４は、各々Ｚ方向へ平行に、Ｙ方向へ並んで配列され、各線状電極７３および各線状電極７４は、幅５０μｍ、厚さ０．１μｍのアルミ電極であり、１００μｍ間隔で配設されている。また線状電極７３の端部７６ａおよび７６ｂのうち外側に配置される端部７６ａは、走査露光制御部４１へ接続され、線状電極７４の端部７７ａおよび７７ｂのうち外側に配置される端部７７ａは走査露光制御部４２へ接続されている。図１３は、光透過性電極７１と、線状電極７３および線状電極７４との関係を示す模式図であり、Ｘ方向から見た図である。この図に示すように、隣接する光透過性電極７１同士は、互いにＺ方向の中央部が接続され、またＹ方向の両端に配置されている光透過性電極７１は、それぞれ外側の中央部に同一の正の所定電圧が印加される。また各光透過性電極７１には、それぞれ７４本の線状電極７３と７４本の線状電極７４とが相対している。
【００７３】
走査露光制御部４１は、システム制御部５９から読取走査を指示する制御信号Ａ１が入力されると、各線状電極７３を順次切り換えながら、各線状電極７３の端部７６ａへ所定の負の駆動電圧を印加して、各線状電極７３と光透過性電極７１との間へ電流を流し、パネル状光源部７０から異なるタイミングで読取光Ｌ１を順次射出させる。
【００７４】
また、走査露光制御部４２は、システム制御部５９から読取走査を指示する制御信号Ａ１が入力されると、各線状電極７４を順次切り換えながら、各線状電極７４の端部７７ａへ所定の負の駆動電圧を印加して、各線状電極７４と光透過性電極７１との間へ電流を流し、パネル状光源部７０から異なるタイミングで読取光Ｌ１を順次射出させる。また、Ｚ方向へ並んでいる線状電極７３と線状電極７４とは、異なるタイミングで駆動電圧を印加されてもよいし、同時に駆動電圧を印加されてもよい。同時に駆動電圧を印加する場合には、Ｚ方向に並んでいる線状電極７３と線状電圧７４とを接続してもよい。
【００７５】
なお、各線状電極７３および線状電極７４の端部間の抵抗値は１．２ＫΩであり、光線状電極７１の各線状電極７３および７４の端部と相対する部位間の抵抗も１．２ＫΩとなり、また各光透過性電極７１は、各線状電極７３および７４の駆動側とは反対側の部位となる中央部で正の所定電圧が印加されているため、線状電極７３または線状電極７４における電圧降下と光透過性電極７１における電圧降下とは相殺され、光透過性電極７１と線状電極７３またな線状電極７４との間の電位差は、線状電極７３または線状電極７４の長手方向の各部位において、略等しいものとなる。このため長手方向における発光量のバラツキが少ない読取光Ｌ１を射出することができる。
【００７６】
なお、画像情報記録読取システム３の動作は、読取光Ｌ１の照射方法以外は図１に示す画像情報記録読取システム１とほぼ同様であるため、詳細な説明は省略する。
【００７７】
また、上記各実施の形態においては、光導電層が、記録用の放射線の照射によって導電性を呈することにより画像増信号を記録するものであるが、本発明による光導電層は必ずしもこれに限定されるものではなく、記録用の放射線の励起により発せられる光の照射によって導電性を呈するものとしてもよい。この場合、第１の電極層の表面に記録用の放射線を、例えば青色光等、他の波長領域の光に波長変換するいわゆるＸ線シンチレータといわれる波長変換層を積層したものとする。この波長変換層としては、例えばヨウ化セシウム（CsＩ）等を用いるのが好適である。また、第１の電極層および第１の絶縁層１２は、記録用の放射線の励起により波長変換層で発せられる光に対して透過性を有するものとする。
【００７８】
次に、本発明の走査露光装置を適用した第４の実施の形態を図１４に示して説明する。図１４は、本発明の走査露光装置を、蓄積性蛍光体シートから画像を読み取る画像情報読取システムに適用したものである。
【００７９】
本画像情報読取システム３は、予め放射線画像情報が蓄積記録された蓄積性蛍光体シート９０に対して読取光Ｌ１を走査露光するパネル状光源部２０および走査露光制御部４３と、読取光Ｌ１の照射を受けて蓄積性蛍光体シート９０から発せられる輝尽発光光Ｍを検出する光検出器９１と該光検出器９１に接続されている図示しない信号処理部とからなる。なお光検出器９１は、蓄積性蛍光体シート９０に対してパネル状光源２０とは反対側に配設され、多数の光電変換素子から構成されており、各光電変換素子が蓄積性蛍光体シート９０の対応する箇所毎（画素毎）の輝尽発光光を検出する。光電変換素子としては具体的には、アモルファスシリコンセンサ、ＣＣＤセンサ、ＭＯＳセンサ等を適用する。このような光検出器９１は図１４に示すように、平面状の２次元センサとして形成してもよいし、１次元センサとして形成し、読取光の走査と同期させて移動させてもよい。
【００８０】
次に本実施形態の画像情報読取システムの作用について説明する。走査露光制御部４３の制御により、走査露光部２０から出力されるライン状の読取光Ｌ１が蓄積性蛍光体シート９０上を走査露光する。読取光Ｌ１が照射された蓄積性蛍光体シート９０の部分からは、そこに蓄積記録されている放射線画像情報に応じた光量の輝尽発光光Ｍが発せられ、その一部は光検出器９１に入射する。光検出器９１に入射した輝尽発光光Ｍは各光電変換素子において増幅、光電変換されて、各光電変換素子の対応する画素の画像信号Ｓとして外部の信号処理装置に出力される。
【００８１】
なお、パネル状光源部２０は、そのＥＬ層２２として蓄積性蛍光体シートから輝尽発光光を発光せしめるために適切な波長の光を出力するものを備えたものとする。本実施の形態においても、第１の実施の形態と同様な効果を得ることができる。またパネル状光源部２０の代わりにパネル状光源部３０、３５あるいはパネル状光源部６０を用いることもできる。
【００８２】
なお、上述した各実施の形態は、多数のライン光源が設けられたパネル状光源部を用いているが、これに限られるものではなく、単体のライン光源を機械的に走査する光源部を用いてもよい。例えば図１５に示すように、厚さ０．１μｍ、大きさ４３０ｍｍ（Ｚ方向）×７．３５ｍｍ（Ｙ方向）の光透過性電極８１、大きさ４３０ｍｍ×７．３５ｍｍで、厚さ０．１μｍのＥＬ層８２、長さ４３０ｍｍ、幅５０μｍ、厚さ０．１μｍのアルミからなる線状電極８３からなるライン光源８０を有し、不図示の機械的走査手段でＹ方向へ走査させることにより読取光Ｌ１により画像記録媒体１０を露光走査することができる。
【図面の簡単な説明】
【００８３】
【図１】第１の実施の形態である画像情報記録読取システムの概略構成図
【図２】パネル状光源部の模式的な部分断面図
【図３】第２の実施の形態である画像情報記録読取システムの概略構成図
【図４】パネル状光源部の模式的な部分断面図
【図５】光透過性電極と線状電極の関係を示す模式図。
【図６】給電端からの距離とＥＬ層にかかる電圧の関係を示す図
【図７】給電端からの距離とＥＬ層に流れる電流の関係を示す図
【図８】給電端からの距離とＥＬ層にかかる電圧の関係を示す図
【図９】給電端からの距離とＥＬ層に流れる電流の関係を示す図
【図１０】給電端からの距離とＥＬ層に流れる電流の関係を示す図
【図１１】給電端からの距離とＥＬ層に流れる電流の関係を示す図
【図１２】第３の実施の形態である画像情報記録読取システムの概略構成図
【図１３】光透過性電極と線状電極の関係を示す模式図。
【図１４】第４の実施の形態である画像情報読取システムの概略構成図
【図１５】画像情報記録読取システムの変型例の概略構成図
【図１６】給電端からの距離とＥＬ層にかかる電圧の関係を示す図
【図１７】給電端からの距離とＥＬ層に流れる電流の関係を示す図
【符号の説明】
【００８４】
１、２        画像情報記録読取システム
３            画像情報読取システム
１０          画像記録媒体
２０、３０、８０          パネル状光源部
２１、６１、７１、８１    光透過性電極
２２、８２                ＥＬ層
２３、３１、６５、７３、７４、８３    線状電極
２４、３２、６２、７５    線状電極層
４０、４１、４２、４３    走査露光制御部
５０          電流検出回路
５５          放射線照射部
５９          システム制御部
９０          蓄積性蛍光体シート
９１          光検出器
【図１】
2005183236.tif 000005
【図２】
2005183236.tif 000006
【図３】
2005183236.tif 000007
【図４】
2005183236.tif 000008
【図５】
2005183236.tif 000009
【図６】
2005183236.tif 000010
【図７】
2005183236.tif 000011
【図８】
2005183236.tif 000012
【図９】
2005183236.tif 000013
【図１０】
2005183236.tif 000014
【図１１】
2005183236.tif 000015
【図１２】
2005183236.tif 000016
【図１３】
2005183236.tif 000017
【図１４】
2005183236.tif 000018
【図１５】
2005183236.tif 000019
【図１６】
2005183236.tif 000020
【図１７】
2005183236.tif 000021